(57)【要約】【課題】  検索操作を行う第１の端末装置とは異なる第２の端末装置で表示される地図の利便性を高めることが可能な地図情報配信システム及び地図情報の配信方法を提供する。【解決手段】  パソコン１０から入力された検索条件をもとに検索を行い、所定の検索結果表示用地図情報をパソコン１０に出力して、パソコン１０で検索結果表示用地図情報に基づく地図を表示させるとともに、配信要求に基づき所定の配信用地図情報を配信する地図情報配信システム１００Ａであって、少なくとも配信用地図情報を配信する前に、検索結果表示用地図情報に基づきパソコン１０で表示される地図のうち、配信用地図情報を利用可能なカーオーディオ装置で表示できる範囲をそれ以外の部分と判別できるようにするための判別表示情報をパソコン１０に出力して、パソコン１０で判別表示情報に基づく判別表示を表示させる判別表示情報出力手段を有する。【選択図】  図１
2008181084.tif 000002
【特許請求の範囲】
【請求項１】
第１の端末装置から入力された検索条件をもとに検索を行い、所定の検索結果表示用地図情報を前記第１の端末装置に出力して、該第１の端末装置で前記検索結果表示用地図情報に基づく地図を表示させるとともに、配信要求に基づき所定の配信用地図情報を配信する地図情報配信システムであって、
少なくとも前記配信用地図情報を配信する前に、前記検索結果表示用地図情報に基づき前記第１の端末装置で表示される地図のうち、前記配信用地図情報を利用可能な第２の端末装置で表示できる範囲をそれ以外の部分と判別できるようにするための判別表示情報を前記第１の端末装置に出力して、該第１の端末装置で前記判別表示情報に基づく判別表示を表示させる判別表示情報出力手段を有することを特徴とする地図情報配信システム。
【請求項２】
前記判別表示情報が、前記第２の端末装置で表示できる範囲を囲う枠の表示情報であることを特徴とする請求項１記載の地図情報配信システム。
【請求項３】
前記判別表示情報が、前記第２の端末装置で表示できる範囲以外の部分を不鮮明な表示にするための表示情報であることを特徴とする請求項１記載の地図情報配信システム。
【請求項４】
前記判別表示情報が、前記第２の端末装置で表示できる範囲のみを表示するための表示情報であることを特徴とする請求項１記載の地図情報配信システム。
【請求項５】
前記判別表示情報が、前記第２の端末装置で表示される地図と同様の表示態様で、前記第２の端末装置で表示できる範囲のみを表示するための表示情報であることを特徴とする請求項１記載の地図情報配信システム。
【請求項６】
前記第１の端末装置で前記配信用地図情報に含める情報の内容を指定できることを特徴とする請求項１記載の地図情報配信システム。
【請求項７】
前記第１の端末装置で前記配信用地図情報に含める情報の表示色を指定できることを特徴とする請求項１記載の地図情報配信システム。
【請求項８】
第１の端末装置から入力された検索条件をもとに検索を行い、所定の検索結果表示用地図情報を前記第１の端末装置に出力して、該第１の端末装置で前記検索結果表示用地図情報に基づく地図を表示させるとともに、配信要求に基づき所定の配信用地図情報を配信する地図情報の配信方法であって、
少なくとも前記配信用地図情報を配信する前に、前記検索結果表示用地図情報に基づき前記第１の端末装置で表示される地図のうち、前記配信用地図情報を利用可能な第２の端末装置で表示できる範囲をそれ以外の部分と判別できるようにするための判別表示情報を前記第１の端末装置に出力して、該第１の端末装置で前記判別表示情報に基づく判別表示を表示させることを特徴とする地図情報の配信方法。
【請求項９】
コンピュータに、
第２の端末装置に表示させる配信用地図情報を検索するための検索条件の入力を受け付ける手順と、
前記配信用地図情報を格納したサーバ装置と通信ネットワークを介して接続する手順と、
前記サーバ装置から前記検索条件に応じた検索結果表示用地図情報を取得する手順と、
前記検索結果表示地図情報に基づき表示する地図のうち、前記第２の端末装置で表示できる範囲とそれ以外の部分とを判別できるようにするための判別表示情報を表示する手順と、
前記判別表示情報に基づく判別表示を表示する手順と、
を実行させるためのプログラムを記録したコンピュータ読み取り可能な記録媒体。
【請求項１０】
コンピュータに、
前記記録媒体のデータ領域に記録された地図情報を検索するための検索条件の入力を受け付ける手順と、
前記検索条件に応じた前記検索結果表示用地図情報を前記記録媒体から取得する手順と、
前記検索結果表示地図情報に基づき表示する地図のうち、前記第２の端末装置で表示できる範囲とそれ以外の部分とを判別できるようにするための判別表示情報を表示する手順と、
前記判別表示情報に基づく判別表示を表示する手順と、
を実行させるためのプログラムを記録した請求項９記載のコンピュータ読み取り可能な記録媒体。
【発明の詳細な説明】
【技術分野】
【０００１】
本発明は地図情報配信システム、地図情報の配信方法及びコンピュータ読み取り可能な記録媒体に関し、特に検索操作を行う第１の端末装置とは異なる第２の端末装置で利用可能な地図情報を配信する地図情報配信システム、地図情報の配信方法及びコンピュータ読み取り可能な記録媒体に関する。
【背景技術】
【０００２】
従来、端末装置に地図情報を配信する技術が公知になっている。係る技術のうち、端末装置での地図表示に配慮した技術の例として、例えば特許文献１では端末装置の画面サイズ情報に基づいて地図のサイズを決定した上で、地図情報を配信する技術が開示されている。また特許文献２では画面サイズ情報を含む端末装置の属性情報に基づいて配信単位を決定した上で、地図情報を配信する技術が開示されている。これらの技術では地図情報の配信を受ける端末装置が配信された地図情報を利用するものとなっている。
【０００３】
一方、地図情報の配信を直接受けなくても、またナビゲーション用の地図情報などを有しなくても地図を表示できる第２の端末装置（例えばカーオーディオ装置など）がある。係る第２の端末装置は例えばＵＳＢ（Universal Serial Bus）メモリやＣＤ−Ｒ（Compact Disk Recordable）等の各種の記録媒体から地図情報を読み込むといった態様で最小限必要な地図を表示できるようになっている。この地図情報は所定のＷｅｂサイトから入手できるようになっており、ユーザはこのＷｅｂサイトから地図情報をパソコンなど（第１の端末装置）で予めダウンロードし、記録媒体に格納することで上記第２の端末装置用の地図情報を用意できる。インターネットが広く一般に普及している近年においては、これにより本格的で高価なナビゲーション装置を求めないユーザにも、最小限必要な地図を表示できる安価な端末装置を提供できるようになる。
【０００４】
【特許文献１】特開２００３−５６３２号公報
【特許文献２】特許３６６０２８７号公報
【発明の開示】
【発明が解決しようとする課題】
【０００５】
上記のようにしてパソコンなどで地図情報を取得する場合、具体的にはユーザはまずＷｅｂブラウザを利用して地図配信システムが提供する所定のＷｅｂサイトにアクセスする。このＷｅｂサイトでユーザが所定の検索条件を入力すると、入力した検索条件が地図情報配信システムに入力される。検索条件が入力された地図情報配信システムは検索を行い、所定の検索結果表示用地図情報をパソコンに出力する。この結果、検索結果確認用の地図がＷｅｂブラウザでパソコンに表示される。さらにユーザが配信要求を入力すると、地図情報配信システムはこの配信要求に基づき所定の配信用地図情報をパソコンに配信する。なお、検索結果表示用地図情報は所定の範囲で地図を表示できるように、また所定の情報の内容（例えば施設そのものを示すアイコンや、施設名称など）を所定の表示色で表示できるように予め設定されている。また縮尺に関しては予め設定されているほか、ユーザが設定変更できるようになっている。一方、配信用地図情報は検索結果表示用地図情報について設定された縮尺で、且つ第２の端末装置の機種に応じた所定の範囲で地図を表示できるように、また所定の情報の内容を所定の表示色で表示できるように予め設定されている。
【０００６】
ここで上記検索結果確認用の地図は、表示される範囲がより広いほうが一般に地図の確認が容易になるため好ましいといえる。その一方で配信用地図情報は、表示範囲がこれを利用する第２の端末装置の仕様に限られることから、検索結果確認用の地図よりも範囲の狭い地図の情報として配信される。このため例えば検索結果確認用の地図が全体的に微妙にずれていた場合には、配信用地図情報を利用する第２の端末装置で地図が希望通りの範囲で表示されないといった不都合が生じる虞があった。
【０００７】
また第２の端末装置の表示範囲はパソコンに比して小さいことから、第２の端末装置で表示する情報の内容を確認用の地図と同じにすることは却って視認性の低下を招く虞がある。さらに第２の端末装置の表示色が仕様上限られている場合には、第２の端末装置で表示される地図の色合いがパソコンで表示される確認用の地図の色合いと異なってくるため、これによっても視認性の低下を招く虞がある。このため係る情報の内容や表示色は第２の端末装置での視認性を考慮した上で、予めデフォルトで設定しておくことが有効であるといえる。しかしながら、このデフォルト設定はすべてのユーザにとって必ずしも利便性が高いものとはならないことから、係る設定は変更できるようになっているほうがより好ましいといえる。
【０００８】
そこで本発明は上記課題に鑑みてなされたものであり、検索操作を行う第１の端末装置とは異なる第２の端末装置で表示される地図の利便性を高めることが可能な地図情報配信システム及び地図情報の配信方法を提供することを目的とする。
【課題を解決するための手段】
【０００９】
上記課題を解決するために、本発明は第１の端末装置から入力された検索条件をもとに検索を行い、所定の検索結果表示用地図情報を前記第１の端末装置に出力して、該第１の端末装置で前記検索結果表示用地図情報に基づく地図を表示させるとともに、配信要求に基づき所定の配信用地図情報を配信する地図情報配信システムであって、少なくとも前記配信用地図情報を配信する前に、前記検索結果表示用地図情報に基づき前記第１の端末装置で表示される地図のうち、前記配信用地図情報を利用可能な第２の端末装置で表示できる範囲をそれ以外の部分と判別できるようにするための判別表示情報を前記第１の端末装置に出力して、該第１の端末装置で前記判別表示情報に基づく判別表示を表示させる判別表示情報出力手段を有することを特徴とする。
【００１０】
本発明によれば、第１の端末装置で判別表示を検索結果確認用の地図に重ねて表示させたり、新たに表示させたりできるようになることから、ユーザは第２の端末装置で表示できる範囲を事前に確認できるようになる。これによりユーザは事前に地図の中心点として指定するポイントを容易に微調整できるようになることから、本発明によれば第２の端末装置で地図が希望通りの範囲で表示されないといった不都合が生じる虞を解消できる。すなわち本発明によれば、これにより第２の端末装置で表示される地図の利便性を高めることができる。
【００１１】
また本発明は前記判別表示情報が、前記第２の端末装置で表示できる範囲を囲う枠の表示情報であってもよい。具体的には例えば本発明のように第２の端末装置で表示できる範囲を枠表示で判別できるようにすることが好ましい。
【００１２】
また本発明は前記判別表示情報が、前記第２の端末装置で表示できる範囲以外の部分を不鮮明な表示にするための表示情報であってもよい。また例えば本発明のように第２の端末装置で表示できる範囲以外の部分をぼかす等して、第２の端末装置で表示できる範囲以外の部分が不鮮明に表示されるようにすることも好適である。
【００１３】
また本発明は前記判別表示情報が、前記第２の端末装置で表示できる範囲のみを表示するための表示情報であってもよい。また例えば本発明のように第２の端末装置で表示できる範囲のみを表示することも好適である。
【００１４】
また本発明は前記判別表示情報が、前記第２の端末装置で表示される地図と同様の表示態様で、前記第２の端末装置で表示できる範囲のみを表示するための表示情報であってもよい。換言すれば本発明のように第２の端末装置で表示される地図と同等の地図を第１の端末装置で表示するようにすれば、地図の視認性を事前に確認できることから、第２の端末装置で表示される地図の利便性を好適に高めることができる。
【００１５】
また本発明は前記配信用地図情報に含める情報の内容を指定できてもよい。本発明によればユーザが第２の端末装置で表示する情報を選択できるようになることから、第２の端末装置で表示される地図の利便性を高めることができる。
【００１６】
また本発明は前記配信用地図情報に含める情報の表示色を指定できてもよい。本発明によれば例えば施設名称を表示しないように指定した場合でも、必要な施設のアイコンの表示色を好みの色に指定することで、第２の端末装置で表示される地図の視認性を高めることなどもできる。
【００１７】
また本発明は第１の端末装置から入力された検索条件をもとに検索を行い、所定の検索結果表示用地図情報を前記第１の端末装置に出力して、該第１の端末装置で前記検索結果表示用地図情報に基づく地図を表示させるとともに、配信要求に基づき所定の配信用地図情報を配信する地図情報の配信方法であって、少なくとも前記配信用地図情報を配信する前に、前記検索結果表示用地図情報に基づき前記第１の端末装置で表示される地図のうち、前記配信用地図情報を利用可能な第２の端末装置で表示できる範囲をそれ以外の部分と判別できるようにするための判別表示情報を前記第１の端末装置に出力して、該第１の端末装置で前記判別表示情報に基づく判別表示を表示させることを特徴とする地図情報の配信方法である。
【００１８】
また本発明は、コンピュータに、第２の端末装置に表示させる配信用地図情報を検索するための検索条件の入力を受け付ける手順と、前記配信用地図情報を格納したサーバ装置と通信ネットワークを介して接続する手順と、前記サーバ装置から前記検索条件に応じた検索結果表示用地図情報を取得する手順と、前記検索結果表示地図情報に基づき表示する地図のうち、前記第２の端末装置で表示できる範囲とそれ以外の部分とを判別できるようにするための判別表示情報を表示する手順と、前記判別表示情報に基づく判別表示を表示する手順と、を実行させるためのプログラムを記録したことを特徴としている。
【００１９】
本発明によれば、記録媒体をコンピュータに読み込ませることで、コンピュータを操作することなく、検索条件に応じた地図情報をサーバ装置から取得することができる。さらに、判別表示を検索結果確認用の地図に重ねて表示させたり、新たに表示させたりできるようになるので、ユーザは第２の端末装置で表示できる範囲を事前に確認できるようになる。
【００２０】
また本発明は、コンピュータに、前記記録媒体のデータ領域に記録された地図情報を検索するための検索条件の入力を受け付ける手順と、前記検索条件に応じた前記検索結果表示用地図情報を前記記録媒体から取得する手順と、前記検索結果表示地図情報に基づき表示する地図のうち、前記第２の端末装置で表示できる範囲とそれ以外の部分とを判別できるようにするための判別表示情報を表示する手順と、前記判別表示情報に基づく判別表示を表示する手順と、を実行させるためのプログラムを記録したことを特徴としている。
【発明の効果】
【００２１】
本発明によれば、検索操作を行う第１の端末装置とは異なる第２の端末装置で表示される地図の利便性を高めることが可能な地図情報配信システム、地図情報の配信方法及びコンピュータ読み取り可能な記録媒体を提供できる。
【発明を実施するための最良の形態】
【００２２】
以下、本発明を実施するための最良の形態を図面と共に詳細に説明する。
【実施例１】
【００２３】
図１は本実施例に係る地図情報配信システム１００Ａをユーザが利用するパーソナルコンピュータ（以下、パソコンと略記する（第１の端末装置））１０とともに模式的に示す図である。パソコン１０にはＷｅｂブラウザがインストールされている。パソコン１０はＷｅｂブラウザを利用して種々のＷｅｂサイトにインターネット網を介してアクセスできるようになっている。地図情報配信システム１００ＡはＷｅｂサーバ１Ａと地図データベース（以下、単にＤＢと称す）サーバ２Ａで構成されている。なお、地図情報配信システム１００Ａは機能や負荷を分散すべく、例えば本実施例に示すＷｅｂサーバ１Ａと地図ＤＢサーバ２Ａのような複数のサーバで構成されているほうが好ましいが単一のサーバで構成されてもよい。
【００２４】
Ｗｅｂサーバ１Ａは主として地図情報配信サービスに係るＷｅｂサイトを提供するための構成である。Ｗｅｂサーバ１ＡにはＷｅｂサーバ用プログラムがインストールされており、Ｗｅｂサーバ１ＡはこのＷｅｂサーバ用プログラムに基づき、Ｗｅｂサイトを提供するための処理のほか、地図情報配信サービスに係る入出力処理など種々の処理を実行する。またＷｅｂサーバ１Ａには地図情報ダウンロード用アプリケーションプログラムがインストールされており、Ｗｅｂサーバ１Ａはこのプログラムに基づき、パソコン１０に配信用地図情報を配信する処理を実行する。Ｗｅｂサーバ１Ａには検索結果表示用地図情報について設定された縮尺情報（以下、単に表示用縮尺情報と称す）と範囲情報（以下、単に表示用範囲情報と称す）とが格納されている。なお、これら表示用縮尺情報及び表示用範囲情報は地図ＤＢサーバ２Ａに格納されてもよい。
【００２５】
地図ＤＢサーバ２Ａは主として地図情報を生成するための構成である。地図ＤＢサーバ２ＡにはＤＢサーバ用プログラムがインストールされており、地図ＤＢサーバ２ＡはこのＤＢサーバ用プログラムに基づき、検索結果表示用地図情報や配信用地図情報を生成する処理のほか、検索結果表示用地図情報に基づきパソコン１０で表示される検索結果確認用の地図のうち、図示しないカーオーディオ装置（第２の端末装置）で表示できる範囲を他の部分と判別できるようにするための判別表示情報を生成する処理や、地図情報配信サービスに係る入出力処理など種々の処理を実行する。地図ＤＢサーバ２Ａには配信用地図情報について設定された範囲情報（以下、単に配信用範囲情報と称す）が、配信用地図情報を利用可能なカーオーディオ装置の機種毎に夫々格納されている。
【００２６】
また地図ＤＢサーバ２Ａには地図データと、表示する情報の内容が設定された表示リストデータと、表示する情報の表示色が設定された色パレットデータとが夫々格納されている。表示リストデータと色パレットデータとは、検索結果表示用地図情報用のものと配信用地図情報用のものとが夫々用意されている。地図ＤＢサーバ２Ａはこれらのデータと、入力された検索条件や表示用縮尺情報や表示用範囲情報などをもとに検索結果表示用地図情報を生成する。また地図ＤＢサーバ２Ａはこれらのデータと、地図の中心点として設定されたポイントの情報（以下、単にポイント情報と称す）や表示用縮尺情報や選択されたカーオーディオ装置の機種に応じた配信用範囲情報などをもとに配信用地図情報を生成する。
【００２７】
次に地図情報配信システム１００Ａの処理動作について詳述する。ユーザがＷｅｂブラウザを利用してＷｅｂサーバ１Ａが提供するＷｅｂサイトにアクセスすると、Ｗｅｂサーバ１Ａからパソコン１０にこのＷｅｂサイトを構成する表示画面の情報などが出力され、これによりＷｅｂブラウザでパソコン１０にＷｅｂサイトの画面が表示される。図２はＷｅｂサイトの表示画面を模式的に示す図であり、Ｗｅｂサイトは具体的には図２（ａ）から（ｆ）までに示すような種々の表示画面で構成されている。なお、本実施例ではＷｅｂサイトは図２（ａ）から図２（ｃ）までに示す表示画面を有して構成されているが、図２（ｄ）から図２（ｆ）については本実施例では不要なため特に有していない。またこれらの表示画面はユーザが「ＣＡＮＣＥＬ」を選択操作したときに、直前に表示した表示画面に戻るように構成されている。
【００２８】
図２（ａ）に示す目的地入力画面は、検索条件として目的地の入力を受付けることができるように構成されており、ユーザが検索条件を入力して「ＳＥＡＲＣＨ」を選択操作すると、入力した検索条件はパソコン１０からＷｅｂサーバ１Ａに出力される。検索条件が入力されたＷｅｂサーバ１Ａはさらに入力された検索条件を表示用縮尺情報や表示用範囲情報とともに地図ＤＢサーバ２Ａに出力する。地図ＤＢサーバ２Ａは入力された検索条件に基づき検索を行い、検索結果表示用地図情報を生成するとともにＷｅｂサーバ１Ａに出力する。
【００２９】
図２（ｂ）に示す周辺地図表示画面はこの検索結果表示用地図情報に基づく検索結果確認用の地図を表示できるように構成されている。このため検索結果表示用地図情報が入力されたＷｅｂサーバ１Ａは、入力された検索結果表示用地図情報を図２（ｂ）に示す周辺地図表示画面の情報とともにさらにパソコン１０に出力する。この結果、パソコン１０ではＷｅｂブラウザで図２（ｂ）に示す周辺地図表示画面が表示されるとともに、この周辺地図表示画面で検索結果確認用の地図が表示される。一方、図２（ｂ）に示す周辺地図表示画面は、配信用地図情報を利用可能なカーオーディオ装置の機種を選択できるように構成されている。本実施例ではこの画面でユーザがカーオーディオ装置の選択操作を行うと、パソコン１０からＷｅｂサーバ１Ａに選択されたカーオーディオ装置の機種情報が出力されるようになっている。機種情報が入力されたＷｅｂサーバ１Ａは入力された機種情報を表示用縮尺情報とともにさらに地図ＤＢサーバ２Ａに出力する。
【００３０】
機種情報が入力された地図ＤＢサーバ２Ａは、表示用縮尺情報と入力された機種情報に基づいて判別表示情報を生成するとともにＷｅｂサーバ１Ａに出力する。本実施例ではこの判別表示情報は、検索結果確認用の地図のうち、選択された機種のカーオーディオ装置で表示できる範囲を囲う枠の表示情報として生成される。また図２（ｃ）に示す周辺地図表示画面はこの判別表示情報に基づく判別表示を検索結果確認用の地図に重ねて表示するように構成されている。このため判別表示情報が入力されたＷｅｂサーバ１Ａは、入力された判別表示情報を図２（ｃ）に示す周辺地図表示画面の情報とともにパソコン１０に出力する。この結果、パソコン１０ではＷｅｂブラウザで図２（ｃ）に示す周辺地図表示画面が表示されるとともに、この表示画面で図３に示す端末表示確認用の地図が表示される。
【００３１】
図３に示すように図２（ｃ）に示す周辺地図表示画面は検索結果表示用地図情報に対する縮尺の設定を変更できるように構成されている。このためユーザが縮尺の設定を変更したときには、縮尺の異なる検索結果表示用地図情報が新たにパソコン１０に出力され、これに基づき端末表示確認用の地図が設定した縮尺で新たに表示される。なお、図２（ｂ）に示す周辺地図表示画面を上記縮尺の設定を変更できるように構成してもよい。また図３に示すように図２（ｃ）に示す周辺地図表示画面は図２（ｂ）と同様に配信用地図情報を利用可能なカーオーディオ装置の機種を選択できるように構成されている。また図２（ｂ）及び（ｃ）に示す周辺地図表示画面は、地図の中心点として指定するポイントを調整する操作を行えるように構成されている。このためユーザは表示された端末表示確認用の地図を参照して、事前に地図の中心点として指定するポイントを容易に微調整できるようになる。
【００３２】
続いて図３に示す端末表示確認用の地図を確認した結果、ユーザが特に問題ないと判断し「ＯＫ」を選択操作すると、パソコン１０からＷｅｂサーバ１Ａに配信用地図情報の配信要求がポイント情報とともに出力される。Ｗｅｂサーバ１Ａはさらに配信要求及びポイント情報を地図ＤＢサーバ２Ａに出力する。配信要求が入力された地図ＤＢサーバ２Ａは配信用地図情報を所定の形式のダウンロード用ファイルとして生成するとともにＷｅｂサーバ１Ａに出力し、Ｗｅｂサーバ１Ａはさらにパソコン１０に配信用地図情報を配信する。このように図２（ｃ）に示す周辺地図表示画面で配信要求を行うことができるようにすれば、ユーザは配信用地図情報をダウンロードする前にカーオーディオ装置で表示できる範囲を事前に確認できるようになる。換言すれば、配信要求よりも前に機種情報の入力を受付けるとともに、機種情報の入力があったときに判別表示情報を出力するようにＷｅｂサイトを構成することで、地図情報配信システム１００Ａは少なくとも配信用地図情報を配信する前に判別表示情報を出力することができるようになる。
【００３３】
なお、本実施例では判別表示情報を検索結果表示用地図情報に応じたものとするため、入力された機種情報に基づいて、カーオーディオ装置の機種毎に予め格納してある基本判別表示情報のうち、対応する基本判別表示情報を特定するとともに、表示用縮尺情報に基づいて、基本判別表示情報に基づく枠表示の大きさを決定することで基本判別表示情報から判別表示情報を生成している。但しこれに限られず、例えば判別表示情報をパソコン１０の表示範囲に応じたものとする場合には、判別表示情報そのものをカーオーディオ装置の機種毎に予め格納して用意しておき、入力された機種情報に基づいて対応する判別表示情報を出力するようにすることも可能である。
【００３４】
本実施例では上記処理を実行するように作成されたＤＢサーバ用プログラムのうち、判別表示情報を生成するように作成されたプログラムの部分と地図ＤＢサーバ２Ａとで判別表示情報生成手段が実現されている。また本実施例では上記処理を実行するように作成されたＷｅｂサーバ用プログラムのうち、パソコン１０に判別表示情報を出力してパソコン１０で判別表示を表示させるように作成されたプログラムの部分とＷｅｂサーバ１Ａとで判別表示情報出力手段が実現されている。以上により、検索操作を行うパソコン１０とは異なるカーオーディオ装置で表示される地図の利便性を高めることが可能な地図情報配信システム１００Ａを提供できる。
【実施例２】
【００３５】
本実施例に係る地図情報配信システム１００Ｂは、地図ＤＢサーバ２Ａの代わりに地図ＤＢサーバ２Ｂを有して構成されている以外、実施例１に係る地図情報配信システム１００Ａと同一のものとなっている。また地図ＤＢサーバ２ＢはＤＢサーバ用プログラムが異なる判別表示情報をさらに生成するように作成されている点以外、地図ＤＢサーバ２Ａと同一のものとなっている。この判別表示情報は、枠表示に加えてさらにカーオーディオ装置で表示できる範囲以外の部分を不鮮明な表示にするための表示情報として生成される。このため本実施例ではＤＢサーバ用プログラムのうち、この判別表示情報を生成するように作成されたプログラムの部分と地図ＤＢサーバ２Ｂとで判別表示情報生成手段が実現される。なお、判別表示情報出力手段は実施例１の場合と同様に実現される。
【００３６】
前述した図２（ｂ）に示す周辺地図表示画面でユーザがカーオーディオ装置の選択操作をすると、パソコン１０では実施例１の場合と同様に判別表示情報に基づく判別表示を検索結果確認用の地図に重ねて表示するように構成された図２（ｃ）に示す周辺地図表示画面が表示される。本実施例ではこの表示画面で図４に示す端末表示確認用の地図が表示される。この端末表示確認用の画面では、検索結果表示用の画面のうち、カーオーディオ装置で表示できる範囲以外の部分が判別表示によってさらにぼかされている。これによりユーザは実施例１の場合と同様に、配信用地図情報をダウンロードする前にカーオーディオ装置で表示できる範囲を確認できるようになる。以上により、検索操作を行うパソコン１０とは異なるカーオーディオ装置で表示される地図の利便性を高めることが可能な地図情報配信システム１００Ｂを提供できる。
【実施例３】
【００３７】
本実施例に係る地図情報配信システム１００Ｃは、Ｗｅｂサーバ１Ａの代わりにＷｅｂサーバ１Ｃを、また地図ＤＢサーバ２Ａの代わりに地図ＤＢサーバ２Ｃを有して構成されている以外、実施例１に係る地図情報配信システム１００Ａと同一のものとなっている。Ｗｅｂサーバ１Ｃは、Ｗｅｂサーバ用プログラムが図２（ｂ）に示す周辺地図表示画面を、図２（ｃ）に示す周辺地図表示画面を表示した後にユーザが「ＯＫ」を選択操作したときに、ポイント情報がパソコン１０からＷｅｂサーバ１Ｃに出力されるように構成するとともに、さらに図２（ｄ）に示す端末サイズ表示画面を有して構成されたＷｅｂサイトを提供するように作成されている点と、これに伴う新たな入出力処理を行うように作成されている点以外、Ｗｅｂサーバ１Ａと同一のものとなっている。
【００３８】
また地図ＤＢサーバ２ＣはＤＢサーバ用プログラムが異なる判別表示情報をさらに生成するように作成されている点以外、地図ＤＢサーバ２Ａと同一のものとなっている。この判別表示情報は検索結果確認用の地図のうち、選択された機種のカーオーディオ装置で表示できる範囲のみを表示するための表示情報（端末サイズの表示をするためのもの）として生成される。このため本実施例ではＤＢサーバ用プログラムのうち、この判別表示情報を生成するように作成されたプログラムの部分と地図ＤＢサーバ２Ｃとで判別表示情報生成手段が、Ｗｅｂサーバ用プログラムのうち、パソコン１０にこの判別表示情報を出力してパソコン１０でこの判別表示情報の基づく判別表示を表示させるように作成されたプログラムの部分とＷｅｂサーバ１Ｃとで判別表示情報出力手段が夫々実現される。
【００３９】
前述した図２（ｂ）に示す周辺地図表示画面でユーザが「ＯＫ」を選択操作すると、ポイント情報がパソコン１０からＷｅｂサーバ１Ｃに出力される。なお、この出力は判別表示情報（端末サイズの表示をするためのもの）の要求として出力される。Ｗｅｂサーバ１Ｃは入力されたポイント情報を機種情報及び表示用縮尺情報とともにさらに地図ＤＢサーバ２Ｃに出力する。これらの情報が入力された地図ＤＢサーバ２Ｃは判別表示情報を生成する。本実施例ではこの判別表示情報は地図情報の一種として生成され、具体的には地図データや検索結果表示用地図情報について設定された表示リストデータや色パレットデータのほか、ポイント情報や表示用縮尺情報や選択されたカーオーディオ装置の機種に応じて設定された配信用範囲情報などをもとに生成される。
【００４０】
地図ＤＢサーバ２Ｃは生成した判別表示情報をＷｅｂサーバ１Ｃに出力する。図２（ｄ）に示す端末サイズ表示画面はこの判別表示情報に基づく判別表示を表示するように構成されている。このため判別表示情報が入力されたＷｅｂサーバ１Ｃは、入力された判別表示情報を図２（ｄ）に示す周辺地図表示画面の情報とともにパソコン１０に出力する。この結果、パソコン１０では図２（ｄ）に示す端末サイズ表示画面が表示されるとともに、この表示画面で図５に示す端末表示確認用の地図が表示される。この端末表示確認用の地図では、検索結果確認用の地図のうち、カーオーディオ装置で表示できる範囲のみが表示されている。
【００４１】
これによりユーザは実施例１の場合と同様に、配信用地図情報をダウンロードする前にカーオーディオ装置で表示できる範囲を確認できるようになる。なお、本実施例の変形例として、例えば判別表示情報を検索結果確認用の地図のうち、カーオーディオ装置で表示できる範囲以外の部分を図２（ｃ）に示す周辺地図表示画面の背景色でマスクするような表示情報として生成或いは予め格納し、この判別表示情報に基づく判別表示を実施例１や２の場合と同様に図２（ｃ）に示す周辺地図表示画面で検索結果表示用地図に重ねて表示することで、カーオーディオ装置で表示できる範囲のみを表示するようにすることもできる。以上により、検索操作を行うパソコン１０とは異なるカーオーディオ装置で表示される地図の利便性を高めることが可能な地図情報配信システム１００Ｃを提供できる。
【実施例４】
【００４２】
本実施例に係る地図情報配信システム１００Ｄは、地図ＤＢサーバ２Ｃの代わりに地図ＤＢサーバ２Ｄを有して構成されている以外、実施例３に係る地図情報配信システム１００Ｃと同一のものとなっている。また地図ＤＢサーバ２ＤはＤＢサーバ用プログラムが異なる判別表示情報を生成するように作成されている点以外、地図ＤＢサーバ２Ｃと同一のものとなっている。本実施例では判別表示情報がカーオーディオ装置で表示される地図と同様の表示態様で、カーオーディオ装置で表示できる範囲のみを表示するための表示情報として生成される。このため本実施例ではＤＢサーバ用プログラムのうち、この判別表示情報を生成するように作成されたプログラムの部分と地図ＤＢサーバ２Ｄとで判別表示情報生成手段が実現される。なお、判別表示情報出力手段は実施例３の場合と同様に実現される。
【００４３】
前述した図２（ｂ）に示す周辺地図表示画面でユーザが「ＯＫ」を選択操作すると、判別表示情報（端末サイズの表示をするためのもの）の要求がパソコン１０から出力され、実施例３の場合と同様に地図ＤＢサーバ２Ｄにはカーオーディオ装置の機種情報、ポイント情報及び表示用縮尺情報が入力される。機種情報が入力された地図ＤＢサーバ２Ｄは判別表示情報を生成する。本実施例ではこの判別表示情報が地図情報の一種として生成され、具体的には地図データや配信用地図情報について設定された表示リストデータや色パレットデータのほか、ポイント情報や表示用縮尺情報や選択されたカーオーディオ装置の機種に応じて設定された配信用範囲情報などをもとに生成される。
【００４４】
地図ＤＢサーバ２Ｄは生成した判別表示情報をＷｅｂサーバ１Ｃに出力する。判別表示情報が入力されたＷｅｂサーバ１Ｃは、実施例３の場合と同様に入力された判別表示情報を図２（ｄ）に示す周辺地図表示画面の情報とともにパソコン１０に出力する。この結果、パソコン１０では図２（ｄ）に示す端末サイズ表示画面が表示されるとともに、この表示画面で図６に示す端末表示確認用の地図が表示される。この端末表示確認用の地図ではカーオーディオ装置で表示される地図と同様の表示態様で、検索結果確認用の地図のうち、カーオーディオ装置で表示できる範囲のみが表示されている。
【００４５】
これによりユーザは実施例１の場合と同様に、配信用地図情報をダウンロードする前にカーオーディオ装置で表示できる範囲を確認できるようになる。また本実施例の場合には、判別表示情報が配信用地図情報について設定された表示リストデータや色パレットデータをもとに生成されることから、カーオーディオ装置で表示される地図と同等の地図を事前に確認できるようになる。このため本実施例では地図の視認性を事前に確認できることから、カーオーディオ装置で表示される地図の利便性をより好適に高めることができる。以上により、検索操作を行うパソコン１０とは異なるカーオーディオ装置で表示される地図の利便性を高めることが可能な地図情報配信システム１００Ｄを提供できる。
【実施例５】
【００４６】
本実施例に係る地図情報配信システム１００ＥはＷｅｂサーバ１Ｃの代わりにＷｅｂサーバ１Ｅを有して構成されている点以外、実施例４に係る地図情報配信システム１００Ｄと同一のものとなっている。またＷｅｂサーバ１Ｅは、Ｗｅｂサーバ用プログラムがさらに図２（ｅ）及び（ｆ）に示す表示画面を有して構成されたＷｅｂサイトを提供するように作成されている点と、これに伴う新たな入出力処理を行うように作成されている点以外、実施例４で示したＷｅｂサーバ１Ｃと同一のものとなっている。前述した図２（ｄ）に示す表示画面でユーザが「ＣＵＳＴＯＭＩＺＥ」を選択操作すると、パソコン１０からＷｅｂサーバ１Ｅに表示項目カスタマイズ用の表示画面要求が出力され、この要求が入力されたＷｅｂサーバ１Ｅはパソコン１０に図２（ｅ）に示す表示項目カスタマイズ用の表示画面の情報を出力する。この結果、パソコン１０では図２（ｅ）に示す表示項目カスタマイズ用の表示画面が表示される。
【００４７】
この表示画面は配信用地図情報について設定された表示リストデータの内容を設定変更できるように構成されており、具体的にはこの表示画面は図７に示すように各種の情報の内容（例えば道路名称など）を設定項目として端末表示確認用の地図とともに表示できるように構成されている。例えばユーザが道路名称について「ＯＦＦ」を選択操作した上で「ＤＩＳＰＬＹ」を選択操作すると、設定項目について指定された設定の情報がパソコン１０からＷｅｂサーバ１Ｅに出力される。設定情報が入力されたＷｅｂサーバ１Ｅはさらに入力された設定情報を地図ＤＢサーバ２Ｄに出力する。なお、この設定情報は設定値更新要求として出力される。設定情報が入力された地図ＤＢサーバ２Ｄは配信用地図情報の表示リストデータの設定内容を更新するとともに、更新した表示リストデータなどをもとに実施例４の場合と同様に判別表示情報を生成する。また判別表示情報を生成した地図ＤＢサーバ２Ｄはさらに生成した判別表示情報をパソコン１０にＷｅｂサーバ１Ｅを介して出力する。この結果、パソコン１０では図７に示すような道路名称が非表示となった端末表示確認用の地図が新たに表示される。
【００４８】
一方、図２（ｅ）に示す表示項目カスタマイズ用の表示画面でユーザが「ＣＯＬＯＲ」を選択操作すると、パソコン１０からＷｅｂサーバ１Ｅに表示色カスタマイズ用の表示画面要求が出力され、この要求が入力されたＷｅｂサーバ１Ｅはパソコン１０に図２（ｆ）に示す表示色カスタマイズ用の表示画面の情報を出力する。この結果、パソコン１０では図２（ｆ）に示す表示色カスタマイズ用の表示画面が表示される。この表示画面は配信用地図情報について設定された色パレットデータの内容を設定変更できるように構成されており、具体的にはこの表示画面は図８に示すように各種の設定項目の表示色を端末表示確認用の地図とともに表示できるように構成されている。表示色は図８に示すように例えば設定項目毎にＲ（レッド）、Ｇ（グリーン）及びＢ（ブルー）の度合いを変更することで設定変更できるようにすることができる。
【００４９】
例えばユーザが背景色についてＲ（レッド）の設定を選択操作すると、図８に示すように設定値を選択可能な表示が現れる。なお、この表示で設定変更できる設定値の範囲はカーオーディオ装置で表示可能な表示色の範囲に限定されている。ユーザが設定項目について表示色の設定変更を行った上で「ＤＩＳＰＬＹ」を選択操作すると、設定項目の表示色について指定した設定の情報がパソコン１０からＷｅｂサーバ１Ｅに出力される。設定情報が入力されたＷｅｂサーバ１Ｅは、入力された設定情報をさらに地図ＤＢサーバ２Ｄに出力する。なお、この設定情報は設定値更新要求として出力される。設定情報が入力された地図ＤＢサーバ２Ｄは配信用地図情報の色パレットデータの設定内容を更新するとともに、更新した色パレットデータなどをもとに実施例４の場合と同様に判別表示情報を生成する。また判別表示情報を生成した地図ＤＢサーバ２Ｄはさらに生成した判別表示情報をパソコン１０にＷｅｂサーバ１Ｅを介して出力する。この結果、パソコン１０では図８に示すような表示色が変更された端末表示確認用の地図が新たに表示される。
【００５０】
本実施例ではこのようにしてユーザがカーオーディオ装置で表示する情報の内容や表示色を指定できるとともに、カスタマイズしたときにカーオーディオ装置で表示される地図を事前に確認できることから、カーオーディオ装置で表示される地図の利便性をさらに好適に高めることができる。以上により、検索操作を行うパソコン１０とは異なるカーオーディオ装置で表示される地図の利便性を高めることが可能な地図情報配信システム１００Ｅを提供できる。
【実施例６】
【００５１】
本実施例では図９に示すフローチャートを用いて地図情報の配信方法について詳述する。なお、図９に示す地図情報配信システム１００ＦはＷｅｂサーバ１Ｆと地図ＤＢサーバ２Ｆとを有して構成されている点で前述した各実施例に係る地図情報配信システム１００Ａから１００Ｅまでと異なっているが、Ｗｅｂサーバ１Ｆ及び地図ＤＢサーバ２Ｆは前述したこれら地図情報配信システム１００Ａから１００Ｅまでで実現されている機能が適宜組み合わされたものとなっている。図９（ａ）は地図情報の配信方法の基本フローチャートを示す図である。まずユーザが検索条件として目的地を入力すると、パソコン１０からＷｅｂサーバ１Ｆに検索条件が入力される。検索条件が入力されたＷｅｂサーバ１Ｆは入力された検索条件をさらに地図ＤＢサーバ２Ｆに出力する。すなわち、本実施例では地図ＤＢサーバ２Ｆが表示用縮尺情報や表示用範囲情報を格納しているためここではこれらの情報はＷｅｂサーバ１Ｆから地図ＤＢサーバ２Ｆに出力されない。但しこれに限られず、このとき必要に応じて表示用縮尺情報や表示用範囲情報などを同時に出力してもよい。
【００５２】
検索条件が入力された地図ＤＢサーバ２Ｆは検索結果表示用地図情報を生成するとともに、生成した検索結果表示用地図情報をＷｅｂサーバ１Ｆに出力する。なお、このとき必要に応じて表示用縮尺情報などを同時に出力してもよい。Ｗｅｂサーバ１Ｆは入力された検索結果表示用地図情報をさらにパソコン１０に出力する。なお、このとき必要に応じて例えば図２（ｂ）に示す表示画面のような表示画面（すなわち検索結果表示用の地図を表示できるような表示画面や、機種情報の入力を受け付けることができるような表示画面）の情報などを同時に出力してもよい。検索結果表示用地図情報が入力されたパソコン１０ではＷｅｂブラウザで検索結果確認用の地図が表示される。続いてユーザが所定の操作に基づき機種情報を入力すると、パソコン１０からＷｅｂサーバ１Ｆに機種情報が入力される。
【００５３】
本実施例ではＷｅｂサーバ１ＦのＷｅｂサーバプログラムが、実施例１で前述した判別表示情報（枠表示をするためのもの）を生成するように作成されている。このため機種情報が入力されたＷｅｂサーバ１Ｆは判別表示情報を生成するとともに、生成した判別表示情報をパソコン１０に出力する。なお、このとき検索結果表示用地図情報をもとに、検索結果確認用の地図に枠表示が含まれるように新たな地図情報を生成して、この地図情報を判別表示情報としてパソコン１０に出力してもよい。また、このとき必要に応じて例えば図２（ｃ）に示す表示画面のような表示画面（すなわち判別表示情報を表示できるような表示画面）の情報を同時に出力してもよい。判別表示情報が入力されたパソコン１０ではＷｅｂブラウザで端末確認用の地図が表示される。
【００５４】
またユーザが所定の操作に基づき実施例４で前述した判別表示情報（端末サイズの表示をするためのもの）の要求を入力すると、この要求がパソコン１０からＷｅｂサーバ１Ｆに出力され、さらにＷｅｂサーバ１Ｆから地図ＤＢサーバ１Ｆに出力される。判別表示情報の要求が入力された地図ＤＢサーバ２Ｆは判別表示情報を生成するとともに、生成した判別表示情報をＷｅｂサーバ１Ｆに出力する。判別表示情報が入力されたＷｅｂサーバ１Ｆはさらに入力された判別表示情報をパソコン１０に出力する。なお、このとき必要に応じて例えば図２（ｄ）に示す表示画面のような表示画面（すなわち判別表示情報を表示できるような表示画面）の情報を同時に出力してもよい。判別表示情報が入力されたパソコン１０ではＷｅｂブラウザで端末サイズの端末確認用の地図が表示される。続いてユーザが所定の操作に基づき配信要求を入力すると、配信要求がパソコン１０からＷｅｂサーバ１Ｆに出力される。なお、このとき必要に応じてポイント情報などを同時に出力してもよい。
【００５５】
本実施例ではＷｅｂサーバ１ＦのＷｅｂサーバプログラムが、配信用地図情報を所定の形式のダウンロードファイルとして生成するように作成されている。このため配信要求が入力されたＷｅｂサーバ１Ｆは配信用地図情報を生成するとともに、生成した配信用地図情報をパソコン１０に配信する。なお、このとき必要に応じて設定リストデータや色パレットデータの設定情報などの要求を地図ＤＢサーバ２Ｆに出力して、これらの情報を地図ＤＢサーバ２Ｆから取得するようにしてもよい。このように少なくとも配信用地図情報を配信する前にパソコン１０に端末確認用の地図を表示させるようにすれば、ユーザは事前にカーオーディオ装置で表示される地図を確認できる。これによりユーザは地図の中心点として指定するポイントを事前に微調整することができ、この結果、カーオーディオ装置で地図が希望通りの範囲で表示されないといった不都合が生じる虞を解消できることから、カーオーディオ装置で表示される地図の利便性を高めることができる。
【００５６】
一方、図９（ｂ）は地図情報の配信方法のうち、カーオーディオ装置で表示される地図をカスタマイズする方法をフローチャートで示す図である。なお、この図９（ｂ）に示すフローチャートは図９（ａ）に示すフローチャートに適宜組み込まれてよいが、少なくとも配信要求をする前にユーザが必要に応じてカスタマイズできるように組み込まれることが好ましい。ユーザが所定の操作に基づきカスタマイズ要求を入力すると、パソコン１０からＷｅｂサーバ１Ｆにカスタマイズ用の表示画面要求が出力される。この要求が入力されたＷｅｂサーバ１Ｆはパソコン１０に例えば図２（ｅ）または（ｆ）に示す表示画面のようなカスタマイズ用の表示画面（すなわち設定項目や表示色を設定変更できるような表示画面）の情報を出力する。この結果、パソコン１０ではＷｅｂブラウザでカスタマイズ用の表示画面が表示される。
【００５７】
さらにユーザが所定の操作に基づき設定変更を行うと、設定項目や表示色について指定された設定の情報がパソコン１０からＷｅｂサーバ１Ｆに出力される。設定情報が入力されたパソコン１０はさらに入力された設定情報を地図ＤＢサーバ２Ｆに設定値更新要求として出力する。これにより配信用地図情報についての設定リストデータや色パレットデータが、地図ＤＢサーバ２Ｆで設定変更される。なお、必要に応じて図９（ｂ）に示すフローチャートでさらに地図ＤＢサーバ２Ｆが判別表示情報（端末サイズの表示をするためのもの）を生成するとともに、生成した判別表示情報をパソコン１０にＷｅｂサーバ１Ｆを介して出力できるようにしてもよい。これによりユーザはカーオーディオ装置で表示する情報の内容や表示色を指定できるとともに、カスタマイズしたときにカーオーディオ装置で表示される地図を事前に確認できることから、カーオーディオ装置で表示される地図の利便性をさらに好適に高めることができる。
【００５８】
また本実施例のようにＷｅｂサーバ１Ｆで配信用地図情報を生成するようにした地図情報配信システム１００Ｆの場合には、図９（ｃ）に示すフローチャートのようにユーザがログインしたときにＷｅｂサーバ１Ｆから地図ＤＢサーバ２Ｆにユーザ設定の確認要求を行い、ユーザ設定があった場合に結果応答として地図ＤＢサーバ２ＦからＷｅｂサーバ１Ｆに設定リストデータや色パレットデータの設定情報を出力することが好ましい。これにより、配信用地図情報が以前設定した設定リストデータや色パレットデータの設定情報に基づいてユーザの希望通りにカスタマイズされることから、カーオーディオ装置で表示される地図の利便性を高めることができる。以上により、検索操作を行うパソコン１０とは異なるカーオーディオ装置で表示される地図の利便性を高めることが可能な地図情報の配信方法を提供できる。
【実施例７】
【００５９】
図１０に示すフローチャートを用いてコンピュータで読み取り可能な記録媒体の実施例について説明する。
本実施例は、コンピュータで読み取り可能なＣＤ−ＲＯＭ等の記録媒体に、地図情報と、Ｗｅｂサーバ１Ｆとの通信用のプログラムとが記録されている。記録媒体に記録されたプログラムがパソコン（本実施例ではパソコンを例に説明するが、記録媒体に書き込まれたプログラムを読み込んで、このプログラムに従った演算処理を行う装置であればよい。この装置の構成を図１１に示す）１０に読み込まれると、このプログラムは起動して（ステップＳ１）、図１０に示すフローに従って処理を行う。なお、以下の処理は、プログラムを読み込んだパソコン１０のＣＰＵ３１（図１１参照）で処理される。
まず、ＣＰＵ３１は、図２（ａ）に示す目的地入力画面をパソコン１０の表示画面に表示させて（ステップＳ２）、検索条件として目的地の入力を受け付ける。ユーザが検索条件を入力して「ＳＥＡＲＣＨ」を選択操作すると（ステップＳ３／ｙｅｓ）、ＣＰＵ３１は検索条件を検索キーとしてＣＤ−ＲＯＭのデータ領域に格納されている地図情報を検索する（ステップＳ４）。検索条件に合致する地図情報がＣＤ−ＲＯＭに格納されていなかった場合には（ステップＳ５／ｎｏ）、ＣＰＵ３１は、パソコン１０をＷｅｂサーバ１Ｆに接続する。ＷｅＢサーバ１Ｆに接続すると、ＣＰＵ３１はユーザから入力された検索条件をＷｅｂサーバ１Ｆに送信し（ステップＳ６）、以降、図９（ａ）、（ｂ）、（ｃ）のいずれかに従って、処理を実行する。
【００６０】
また、検索条件に合致する地図情報がＣＤ−ＲＯＭに格納されていた場合には（ステップＳ５／ｙｅｓ）、ＣＰＵ３１は、検索結果表示用地図情報をＣＤ−ＲＯＭから読み出して表示させる（ステップＳ７）。このとき必要に応じて図２（ｂ）に示す周辺地図表示画面を同時に出力してもよい。
【００６１】
続いて、ユーザが所定の操作に基づいて機種情報を入力すると、ＣＰＵ３１はこれを取得して（ステップＳ８）、判別表示情報（枠）を生成する（ステップＳ９）。ＣＰＵ３１は、記録媒体から読み込んだプログラムに従って判別表示情報の生成を行う。この判別表示情報により、検索結果確認用の地図に枠表示が含まれるような新たな地図が生成される。このとき、図２（ｃ）に示す周辺地図表示画面を同時に出力してもよい。この周辺地図表示画面では、判別表示情報に基づく判別表示情報を検索結果確認用の地図に重ねて表示するように構成されている。
【００６２】
また、ユーザからの所定の操作入力に基づき判別表示情報（端末サイズの表示をするためのもの）の要求を入力すると（ステップＳ１０）、ＣＰＵ３１は、判別表示情報を生成して表示する（ステップＳ１１）。この判別表示情報によって、図２（ｄ）に示す端末サイズ表示画面が表示される。この端末サイズ表示画面では、例えば、図５に示す端末表示確認用の地図が表示される。
端末表示確認用の地図を確認したユーザは、この端末表示確認用の地図を、カーオーディオ装置に表示させる画像として使用することができる。
【００６３】
以上、説明したように本実施例は、プログラムを記録した記録媒体をパソコン１０に読み込ませることで、パソコン１０の複雑な操作することなく、検索条件に応じた地図情報をサーバ装置から取得することができる。さらに、判別表示を検索結果確認用の地図に重ねて表示させたり、新たに表示させたりできるようになるので、ユーザは第２の端末装置で表示できる範囲を事前に確認できるようになる。
また、ＣＤ−ＲＯＭ等の記録媒体には、地図情報が予め記録されているので、検索条件に合致する地図情報が記録媒体に格納されていればＷｅｂサーバ１に接続して地図情報をダウンロードする必要がなくなる。
【００６４】
なお、本実施例では、記録媒体としてＣＤ−ＲＯＭを例に説明したが、これ以外に、ＵＳＢ（Universal Serial Bus）メモリ、Ｓｍａｒｔメディア等のフラッシュメモリを用いてもよい。
【００６５】
ここで、図１１を参照しながらパソコン１０、Ｗｅｂサーバ１Ａ〜１Ｆ、地図ＤＢサーバ２Ａ〜２Ｆのハードウェア構成を説明する。
ハードウェア構成は、ＣＰＵ３１、ＲＯＭ３２、ＲＡＭ３３、ＮＶＲＡＭ（Non Volatile RAM）３４、入出力部３５、ハードディスク３６などで構成される。ＣＰＵ３１は、ＲＯＭ３２に格納したプログラムを読み込んで、このプログラムに従った演算を行う。また、パソコン１０のＣＰＵ３１は、ＣＤ−ＲＯＭに記録されたプログラムを読み込んで、図１０に示したフローチャートに従った処理を実行する。また、ＲＡＭ３３には、演算結果のデータが書き込まれ、ＮＶＲＡＭ３４は、ＲＡＭ３３に書き込まれていたデータで、電源オフ時に保存の必要なデータが書き込まれる。
ハードディスク３６は、データを記録するものであり、例えば、Ｗｅｂサーバ１Ａ〜１Ｆのハードディスク３６には、表示用縮尺情報、表示用範囲情報等が記憶され、地図ＤＢサーバ２Ａ〜２Ｆのハードディスク３６には、配信用範囲情報、地図データ、表示リストデータ、色パレットデータ等を記憶したハードディスク装置３７が設けられている。
【００６６】
上述した実施例は本発明の好適な実施の例である。但し、これに限定されるものではなく、本発明の要旨を逸脱しない範囲内において種々変形実施可能である。例えば配信要求は検索操作を行う第１の端末装置からだけでなく、第２の端末装置と有線、或いは無線で情報通信可能な情報通信機能を備えた携帯電話機などの携帯通信端末装置や、第２の端末装置と有線或いは無線で情報通信可能な情報通信機能を備えたその他の端末装置や、情報通信機能を備えた第２の端末装置そのものから行えるようにしてもよい。これにより第２の端末装置で配信用地図情報を利用するにあたって、予め配信用地図情報を記録媒体に格納する手間を省略できる点において利便性を高めることができる。
【００６７】
上記実施例では、地図ＤＢサーバが地図の検索処理等を行っているが、地図ＤＢサーバには地図データを蓄積し、Ｗｅｂサーバが地図ＤＢサーバにアクセスして必要なデータを読み出すようにしてもよい。つまり、地図ＤＢサーバは単なるデータバンクであって、検索等の処理は全てＷｅｂサーバで行ってもよい。この場合、ＤＢサーバ用プログラムをＷｅｂサーバに設ける構成となる。また、ユーザの設定情報（設定リストデータや色パレットデータ等）を地図ＤＢサーバに蓄積する構成以外に、別のデータベースサーバにユーザの設定情報を蓄積するようにしてもよい。
【図面の簡単な説明】
【００６８】
【図１】地図情報配信システム１００Ａをパソコン１０とともに模式的に示す図である。
【図２】Ｗｅｂサイトの表示画面を模式的に示す図である。
【図３】実施例１に係る端末表示確認用の地図を模式的に示す図である。
【図４】実施例２に係る端末表示確認用の地図を模式的に示す図である。
【図５】実施例３に係る端末表示確認用の地図を模式的に示す図である。
【図６】実施例４に係る端末表示確認用の地図を模式的に示す図である。
【図７】設定項目をカスタマイズしたときの実施例５に係る端末表示確認用の地図を模式的に示す図である。
【図８】表示色をカスタマイズしたときの実施例５に係る端末表示確認用の地図を模式的に示す図である。
【図９】地図情報の配信方法をフローチャートで示す図である。
【図１０】プログラムを記録した記録媒体を読み込んでパソコンで実行される処理手順を示すフローチャートである。
【図１１】パソコン、Ｗｅｂサーバ、地図データベースサーバのハードウェア構成を示す図である。
【符号の説明】
【００６９】
１  Ｗｅｂサーバ
２  地図データベースサーバ
１０  パソコン（第１の端末装置、コンピュータ）
１００  地図情報配信システム
【図１】
2008181084.tif 000003
【図２】
2008181084.tif 000004
【図３】
2008181084.tif 000005
【図４】
2008181084.tif 000006
【図５】
2008181084.tif 000007
【図６】
2008181084.tif 000008
【図７】
2008181084.tif 000009
【図８】
2008181084.tif 000010
【図９】
2008181084.tif 000011
【図１０】
2008181084.tif 000012
【図１１】
2008181084.tif 000013